(57)【要約】【課題】本発明は音響機器に使用されるスピーカ用振動板およびこれを用いたスピーカならびにこのスピーカを用いた電子機器および装置に関するものであり、安定したスピーカの音質や特性、さらには外観を実現させることのできるものである。【解決手段】本発明は、内部添加剤として少なくとも両性ポリアクリルアミド樹脂系紙力剤を含んでスピーカ用振動板２７を構成することにより、水質に関係なく定着を良好化させることで、振動板２７の物性バラツキを抑え、安定したスピーカの音質や特性、外観を実現することができる構成としたものである。【選択図】図１
2007005992.tif 000002
【特許請求の範囲】
【請求項１】
パルプを重量比で５０％以上含むスピーカ用振動板であって、前記スピーカ用振動板は、内部添加剤として、少なくとも両性ポリアクリルアミド樹脂系紙力剤を含むスピーカ用振動板。
【請求項２】
着色剤として、カチオン性ポリビニルアミン系化合物の染料定着剤と、アニオン系染料とを用いた請求項１記載のスピーカ用振動板。
【請求項３】
表面サイズ剤として、スチレン系ポリマーを用いた請求項１または請求項２記載のスピーカ用振動板。
【請求項４】
湿潤紙力剤として、ポリアミドとエピクロルヒドリンを反応させて用いた請求項１から請求項３のいずれか１つに記載のスピーカ用振動板。
【請求項５】
抄紙により形成された請求項１から請求項４のいずれか１つに記載のスピーカ用振動板。
【請求項６】
円錐状に形成された請求項１から請求項５のいずれか１つに記載のスピーカ用振動板。
【請求項７】
磁気回路に結合されたフレームと、このフレームの外周部に結合された請求項１から請求項６記載のいずれか１つの振動板と、この振動板に結合されるとともに、その一部が前記磁気回路の磁気ギャップに配置されたボイスコイルとからなるスピーカ。
【請求項８】
請求項７記載のスピーカと、少なくともこのスピーカへの入力信号の増幅回路とを備えた電子機器。
【請求項９】
請求項７記載のスピーカを移動手段に搭載した装置。
【発明の詳細な説明】
【技術分野】
【０００１】
本発明は各種音響機器や映像機器に使用されるスピーカ用振動板やこれを用いたスピーカおよびステレオセットやテレビセット等の電子機器および装置に関するものである。
【背景技術】
【０００２】
紙振動板は比重が小さく適度な内部損失を有することから、現在でもスピーカ用振動板の主流である。
【０００３】
従来の紙振動板は通常その抄紙工程において、硫酸アルミニウムを使用することで品質の安定化を図っていた。
【０００４】
これらのスピーカ用振動板は音響機器の音質を決定する重要部品であるために、紙振動板を安定して製造するための処方や生産方法の検討が従来から数多く実施されてきている。
【０００５】
尚、この出願の発明に関する先行技術文献情報としては、例えば、特許文献１が知られている。
【特許文献１】特開２００３−２３０１９７号公報
【発明の開示】
【発明が解決しようとする課題】
【０００６】
従来の紙振動板は硫酸アルミニウムを介したイオン結合によるパルプ繊維への定着であるが、これは水質とくにｐＨや金属イオン濃度や含有有機物質量によって定着の形態が大きく変化して振動板の物性をばらつかせ、スピーカの音質バラツキや外観バラツキを発生させるという課題を有するものであった。
【課題を解決するための手段】
【０００７】
紙振動板の特性を決定する要因は薬品処理工程にあり、ここでの薬品の定着のバラツキがスピーカの音質や外観のバラツキにつながることになる。
【０００８】
このため、薬品処理工程での薬品の定着のバラツキをなくすため、パルプのセルロースと水素結合することで自己定着できる化学薬品を選定することにより、定着の水質等によるバラツキをなくすことができる構成としたものである。
【０００９】
すなわち、内部添加剤として、少なくとも両性ポリアクリルアミド樹脂系紙力剤を含んでスピーカ用振動板を構成したものである。
【００１０】
この構成とすることで、水質に関係なく定着が良好化し、振動板の物性バラツキが抑えられ、結果としてスピーカの音質バラツキや外観バラツキを低減させることができる。
【発明の効果】
【００１１】
以上のように本発明は、内部添加剤として、少なくとも両性ポリアクリルアミド樹脂系紙力剤を含んでスピーカ用振動板を構成したものである。
【００１２】
この構成により、水質に関係なく定着を良好化させることができ、振動板の物性バラツキが抑えられ、よってバラツキがなく安定したスピーカの音質や外観を実現することができる。
【発明を実施するための最良の形態】
【００１３】
以下、本発明の実施の形態について図面を用いて説明する。
【００１４】
（実施の形態１）
以下、実施の形態１を用いて、本発明の特に請求項１から請求項６に記載の発明について説明する。
【００１５】
図１は、本発明の一実施の形態におけるスピーカ用振動板の断面図を示したものである。
【００１６】
図１に示すように、振動板２７はスピーカ用振動板として使用されるため、その形状は円錐状に抄紙形成されて構成されている。
【００１７】
そして、材料的にはパルプを重量比で５０％以上含み、内部添加剤として両性ポリアクリルアミド樹脂系紙力剤を用いてスピーカ用振動板として構成している。
【００１８】
ここで、両性ポリアクリルアミド樹脂は紙に定着し、紙の物性を向上させる紙力剤と呼ばれるものであり、セルロースと水素結合できる化合物である。
【００１９】
この両性ポリアクリルアミド樹脂はセルロースと良好な水素結合でのネットワークを形成し、音速（ヤング率Ｅ／密度ρの平方根）が重要な振動板においては、パルプの補強剤として著しい効果を奏するものである。
【００２０】
この構成により、水質に関係なく定着を良好化させることができ、振動板の物性バラツキが抑えられ、よってバラツキがなく安定した音質や外観を実現することができるスピーカ用振動板を得ることができる。
【００２１】
また、このスピーカ用振動板に着色剤として、カチオン性ポリビニルアミン系化合物の染料定着剤と、アニオン系染料とを用いた構成としても良い。
【００２２】
これらは、着色するときの染料の定着剤および染料であり、通常染料による着色は、水質の影響を受けやすく外観品質が安定しにくいものである。
【００２３】
この構成とすることにより、着色するときの染料の定着性が良好化し、水質の影響を受けにくくなる。よって、この組合せが外観商品であるスピーカ用振動板には最適である。
【００２４】
また、このスピーカ用振動板に、表面サイズ剤としてスチレン系ポリマーを用いた構成としても良い。
【００２５】
この構成にすることにより、表面の改質効果が大きいスピーカ用振動板を得ることができる。
【００２６】
もちろんサイズ剤として、アルキルケテンダイマー、アルケニル無水コハク酸、中性ロジンエマルジョン系等のサイズ剤を用いても問題はないが、スチレン系ポリマーを用いることで表面の改質効果を一層高めることができる。
【００２７】
また、このスピーカ用振動板に、湿潤紙力剤としてポリアミドとエピクロルヒドリンを反応させて用いた構成としても良い。
【００２８】
この構成にすることにより、前述した両性ポリアクリルアミド樹脂系紙力剤と併用して、エピクロルヒドリンでポリアクリルアミド樹脂を変性することにより、尚一層定着性を良好化させることができ、その効果は非常に大きい。
【００２９】
さらに本発明は、振動板に添加される公知の添加剤や無機フィラー等の使用を特に限定するものではない。
【００３０】
また、以下に本発明を実施するための最良の形態の一例を示す。
【００３１】
本発明の最良の実施形態としては、固形分で０．５〜３％のカチオン系ビニルアミンと固形分で２〜１５％の染料を叩解したパルプに定着させたのち、固形分で０．３〜２％の両性ポリアクリルアミドを乾燥紙力剤として添加、その後、固形分で０．５〜３％のエピクロルヒドリン変性ポリアクリルアミドを湿潤紙力剤として添加した後、スチレン系ポリマーを１〜５％表面サイズ剤として使用する方法が好ましい。
【００３２】
（実施例１、２、３）
６００ｍｌに叩解したＰＵＫＰパルプに染料定着剤カチオファストＶＳＨ（ＢＡＦジャパン製）を固形分で０．５％、アニオン系染料を固形分で８％加えた。その後ＤＳ４３７４（星光ＰＭＣ製両性ポリアクリルアミド）を固形分で０．５％、ＷＳ５５２（星光ＰＭＳ製エピクロルヒドリン変性ポリアクリルアミド）を固形分で１．２％、ＳＳ２０７２（星光ＰＭＣ社製スチレン系ポリマー）を固形分で３％順次入れる方法で紙コーンを作成した。
【００３３】
水はドイツ硬度２ＤＨの軟水、２０ＤＨの硬水、２０ｍｇ／Ｌの有機物を含む水の３種類使用した。
【００３４】
（比較例１、２、３）
従来の硫酸アルミニウムを用いた方法で同様に実施した。
結果：
ＪＩＳＰ８１１２記載の低圧ミューレン法での破裂強度は、
実施例１：２ＤＨの水                  ３．１ｋｇ／ｃｍ２
実施例２：２０ＤＨの水                ３．１ｋｇ／ｃｍ２
実施例３：有機物の多い水              ３．１ｋｇ／ｃｍ２
比較例１：２ＤＨの水                  ３．０ｋｇ／ｃｍ２
比較例２：２０ＤＨの水                １．２ｋｇ／ｃｍ２
比較例３：有機物の多い水              １．８ｋｇ／ｃｍ２
また、それぞれをスピーカに組込んで音質を評価した結果、実施例１〜３および比較例１はほぼ同じ音質であったが、比較例２，３は高音域での音圧が低く迫力のないものとなった。
【００３５】
以上の結果より、水質に関係なく定着を良好化させるスピーカ用振動板を得ることができ、安定したスピーカの音質や特性、さらには外観を実現することができるという本発明の有効性を実証することができた。
【００３６】
（実施の形態２）
以下、実施の形態２を用いて、本発明の特に請求項７に記載の発明について説明する。
【００３７】
図２は、本発明の一実施の形態のスピーカの断面図を示したものである。
【００３８】
図２に示すように、着磁されたマグネット２１を上部プレート２２およびヨーク２３により挟み込んで内磁型の磁気回路２４を構成している。
【００３９】
この磁気回路２４のヨーク２３にフレーム２６を結合している。このフレーム２６の周縁部に、請求項１から請求項６記載のいずれか１つの振動板２７の外周をエッジ２９を介して接着している。そして、この振動板２７の内周部にボイスコイル２８の一端を結合するとともに、反対の一端を上記磁気回路２４の磁気ギャップ２５にはまり込むように結合して構成している。
【００４０】
以上は、内磁型の磁気回路２４を有するスピーカについて説明したが、これに限定されず、外磁型の磁気回路を有するスピーカに適用しても良い。
【００４１】
さらに、振動板２７とエッジ２９とが一体化された携帯電話用等の小型スピーカについても適用することも可能である。
【００４２】
この構成により、実施の形態１において説明したように、水質に関係なく定着を良好化させるスピーカ用振動板を得ることができ、安定した音質や特性、さらには外観を実現することができるスピーカを得ることができる。
【００４３】
（実施の形態３）
以下、実施の形態３を用いて、本発明の特に請求項８に記載の発明について説明する。
【００４４】
図３は、本発明の一実施の形態の電子機器であるオーディオ用のミニコンポシステムの外観図を示したものである。
【００４５】
図３に示すように、本発明のスピーカ３０をエンクロジャー４１に組込んでスピーカシステムを構成し、このスピーカ３０に入力する電気信号の増幅手段であるアンプ４２と、このアンプ４２に入力されるソースを出力するプレーヤ４３とを備えて、電子機器であるオーディオ用のミニコンポシステム４４を構成したものである。
【００４６】
この構成とすることにより、従来では実現できなかった安定した音質や特性、さらには外観を実現することができるスピーカシステムや、オーディオ用のミニコンポシステム等の電子機器を得ることができる。
【００４７】
（実施の形態４）
以下、実施の形態４を用いて、本発明の特に請求項９に記載の発明について説明する。
【００４８】
図４は、本発明の一実施の形態の装置である自動車５０の断面図を示したものである。
【００４９】
図４に示すように、本発明のスピーカ３０をリアトレイやフロントパネルに組込んで、カーナビゲーションやカーオーディオの一部として使用して自動車５０を構成したものである。
【００５０】
この構成とすることにより、スピーカ３０の安定した音質や特性、さらには外観を実現することができ、このスピーカ３０を搭載した自動車等の装置の性能や品質を向上させることができる。
【産業上の利用可能性】
【００５１】
本発明にかかるスピーカ用振動板、スピーカ、電子機器および装置は、安定した音質や特性、さらには外観が必要な映像音響機器や情報通信機器等の電子機器、さらには自動車等の装置への適用に有用である。
【図面の簡単な説明】
【００５２】
【図１】本発明の一実施の形態におけるスピーカ用振動板の断面図
【図２】本発明の一実施の形態におけるスピーカの断面図
【図３】本発明の一実施の形態における電子機器の外観図
【図４】本発明の一実施の形態における装置の断面図
【符号の説明】
【００５３】
２１  マグネット
２２  上部プレート
２３  ヨーク
２４  磁気回路
２５  磁気ギャップ
２６  フレーム
２７  振動板
２８  ボイスコイル
２９  エッジ
３０  スピーカ
４１  エンクロジャー
４２  アンプ
４３  プレーヤ
４４  ミニコンポシステム
５０  自動車
【図１】
2007005992.tif 000003
【図２】
2007005992.tif 000004
【図３】
2007005992.tif 000005
【図４】
2007005992.tif 000006